【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし、除電する後処理手段を有する画像形成装置において、
前記後処理手段を制御する制御手段を備えるとともに、複数のモードを有し、該複数のモードから選択されたモードに対応して、前記後処理手段による後処理時間を変える制御を前記制御手段が行うことを特徴とする画像形成装置。
【請求項２】
前記モードとして少なくとも、原稿を読み取って原稿の画像を形成する複写モードと外部から供給された画像データに基づいて画像を形成するプリンタモードが設けられ、前記複写モードにおける前記後処理時間よりも、前記プリンタモードにおける前記後処理時間を長くする制御を前記制御手段が行うことを特徴とする請求項１に記載の画像形成装置。
【請求項３】
前記モードとして少なくとも、画像データを記憶手段に記憶させる記憶工程と前記画像形成工程を並行して実行するリアルタイムモードと前記記憶工程の終了後に前記画像形成工程を実行する一括モードが設けられ、前記一括モードにおける前記後処理時間よりも前記リアルタイムモードにおける前記後処理時間を長くする制御を前記制御手段が行うことを特徴とする請求項１又は請求項２に記載の画像形成装置。
【請求項４】
前記制御手段は、ジョブにおける最後の画像形成工程の終了後に前記後処理手段による後処理を実行させ、該後処理実行中に次のジョブの画像デ−タが得られた場合には、次のジョブの画像形成工程を該後処理に続いて実行させることを特徴とする請求項１〜３のいずれか１項に記載の画像形成装置。
【請求項５】
感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし除電する後処理手段を有する画像形成装置において、
原稿を読み取って原稿の画像を形成する複写モードと外部から供給された画像データに基づいて画像を形成するプリンタモードが設けられ、前記複写モード又は前記プリンタモードのいずれかでの前記画像形成工程の終了後に、前の前記画像形成工程のモードと同一のモードでの前記画像形成工程が続く場合には、前記後処理手段を作動させることなく前記画像形成工程を実行し、前の前記画像形成工程のモードと異なるモードでの画像形成工程が続く場合には、前記後処理手段及び前記前帯電手段を作動させた後に前記画像形成工程を実行するように、前記制御手段が制御を行うことを特徴とする画像形成装置。
【請求項６】
前記複写モードにおける記録画素密度と前記プリンタモードにおける記録画素密度が異なることを特徴とする請求項５に記載の画像形成装置。
【請求項７】
感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし除電する後処理手段を有する画像形成装置において、
画素密度が異なる画像を形成する複数のモードを有し、ジョブを連続して実行する場合に、前後のジョブの画素密度が同一である場合には、前のジョブにおける前記画像形成工程に連続して次のジョブにおける前記画像形成工程を実行し、
前後のジョブの画素密度が異なる場合には、前のジョブの前記画像形成工程の終了後に前記後処理を実行し、次のジョブの前記画像形成工程を実行する前に前記前帯電処理を実行する制御を行う制御手段を有することを特徴とする画像形成装置。
【請求項８】
感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、
前記画像形成工程の前に前記感光体の全面を帯電する前帯電手段と、
前記画像形成工程の後に、前記感光体の全面をクリーニングし、除電する後処理手段と、
前記後処理手段を制御する制御手段とを備えるとともに、
複数の画像記録モードから１つの画像記録モードを選択する選択手段を有し、
前記制御手段は、前記選択手段で選択された画像記録モードに応じて、前記後処理手段により後処理開始時間を変更する制御を行うことを特徴とする画像形成装置。
【請求項９】
前記画像記録モードとして少なくとも、記憶手段に記憶された画像データに基づいて前記画像形成工程を実行するメモリモードと画像データを記憶手段に記憶させることなく、画像データに基づいた前記画像形成工程を実行するスルーモードを有し、
前記制御手段が、前記メモリモードにおける前記後処理開始時間よりも前記スルーモードにおける前記後処理開始時間を遅くする制御を行うことを特徴とする請求項８に記載の画像形成装置。
【請求項１０】
感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、
前記画像形成工程の前に前記感光体の全面を帯電する前帯電手段と、
前記画像形成工程の後に、前記感光体の全面をクリーニングし、除電する後処理手段と、
前記前帯電手段および前記後処理手段を制御する制御手段とを備えるとともに、
前記画像形成装置は、１ジョブ分の画像データの記憶が完了した後に、該画像データに基づいて画像形成を行う第１の画像記録モードと
１頁分の画像データの記憶が完了した時点で、該画像データに基づいて画像形成を行う第２の画像記録モードとを有しており、
前記制御手段は、前記第１の画像記録モード又は前記第２の画像記録モードのいずれかでの前記画像形成工程が終了した後に、後続の画像形成工程が、直前の前記画像形成工程における画像記録モードと同一の画像記録モードであると判断されている場合には、前記後処理手段を作動させることなく後続の画像形成工程を実行し、
後続の画像形成工程が、直前の前記画像形成工程における画像記録モードと異なる画像記録モードであると判断されている場合には、前記後処理手段及び前記前帯電手段を作動させた後に後続の画像形成工程を実行するように制御することを特徴とする画像形成装置。
【手続補正２】
【補正対象書類名】明細書
【補正対象項目名】００１６
【補正方法】変更
【補正の内容】
【００１６】
【課題を解決するための手段】
前記の本発明の目的は
（１）感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし、除電する後処理手段を有する画像形成装置において、
前記後処理手段を制御する制御手段を備えるとともに、複数のモードを有し、該複数のモードから選択されたモードに対応して、前記後処理手段による後処理時間を変える制御を前記制御手段が行うことを特徴とする画像形成装置、
（２）感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし除電する後処理手段を有する画像形成装置において、
原稿を読み取って原稿の画像を形成する複写モードと外部から供給された画像データに基づいて画像を形成するプリンタモードが設けられ、前記複写モード又は前記プリンタモードのいずれかでの前記画像形成工程の終了後に、前の前記画像形成工程のモードと同一のモードでの前記画像形成工程が続く場合には、前記後処理手段を作動させることなく前記画像形成工程を実行し、前の前記画像形成工程のモードと異なるモードでの画像形成工程が続く場合には、前記後処理手段及び前記前帯電手段を作動させた後に前記画像形成工程を実行するように、前記制御手段が制御を行うことを特徴とする画像形成装置、
（３）感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、前記画像形成工程の前に前記感光体の全面を帯電する前帯電手段及び前記画像形成工程の後に、前記感光体の全面をクリーニングし除電する後処理手段を有する画像形成装置において、
画素密度が異なる画像を形成する複数のモードを有し、ジョブを連続して実行する場合に、前後のジョブの画素密度が同一である場合には、前のジョブにおける前記画像形成工程に連続して次のジョブにおける前記画像形成工程を実行し、
前後のジョブの画素密度が異なる場合には、前のジョブの前記画像形成工程の終了後に前記後処理を実行し、次のジョブの前記画像形成工程を実行する前に前記前帯電処理を実行する制御を行う制御手段を有することを特徴とする画像形成装置、
（４）感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、
前記画像形成工程の前に前記感光体の全面を帯電する前帯電手段と、
前記画像形成工程の後に、前記感光体の全面をクリーニングし、除電する後処理手段と、
前記後処理手段を制御する制御手段とを備えるとともに、
複数の画像記録モードから１つの画像記録モードを選択する選択手段を有し、
前記制御手段は、前記選択手段で選択された画像記録モードに応じて、前記後処理手段により後処理開始時間を変更する制御を行うことを特徴とする画像形成装置、及び
（５）感光体に対して帯電、露光及び現像を行うことにより、前記感光体上にトナー像を形成し、前記感光体上に形成されたトナー像を記録材に転写し定着する画像形成工程により記録材に画像を形成する画像形成装置であって、
前記画像形成工程の前に前記感光体の全面を帯電する前帯電手段と、
前記画像形成工程の後に、前記感光体の全面をクリーニングし、除電する後処理手段と、
前記前帯電手段および前記後処理手段を制御する制御手段とを備えるとともに、
前記画像形成装置は、１ジョブ分の画像データの記憶が完了した後に、該画像データに基づいて画像形成を行う第１の画像記録モードと
１頁分の画像データの記憶が完了した時点で、該画像データに基づいて画像形成を行う第２の画像記録モードとを有しており、
前記制御手段は、前記第１の画像記録モード又は前記第２の画像記録モードのいずれかでの前記画像形成工程が終了した後に、後続の画像形成工程が、直前の前記画像形成工程における画像記録モードと同一の画像記録モードであると判断されている場合には、前記後処理手段を作動させることなく後続の画像形成工程を実行し、
後続の画像形成工程が、直前の前記画像形成工程における画像記録モードと異なる画像記録モードであると判断されている場合には、前記後処理手段及び前記前帯電手段を作動させた後に後続の画像形成工程を実行するように制御することを特徴とする画像形成装置、
によって達成される。
【手続補正３】
【補正対象書類名】明細書
【補正対象項目名】００３３
【補正方法】変更
【補正の内容】
【００３３】
これらの諸モードにおいて、画像形成工程ｂの前後に実行される前帯電ａと後処理ｃは、以下に説明するようにそれぞれ異なった態様で画像形成工程ｂと組み合せられる。
【手続補正４】
【補正対象書類名】明細書
【補正対象項目名】００３７
【補正方法】変更
【補正の内容】
【００３７】
後処理ｃが時間長Ｔ＋αに延長された場合のジョブの実行プロセスでは、前帯電ａに続く画像形成工程ｂ１の後に後処理ｃが実行されるが、時間長α内に次のジョブの画像デ−タが得られた場合には、次のジョブの画像形成工程ｂ２が後処理ｃに続いて実行される。
【手続補正５】
【補正対象書類名】明細書
【補正対象項目名】００３８
【補正方法】変更
【補正の内容】
【００３８】
前記のように複写モードにおいては、制御手段は読取部３との間で制御信号の授受を行っており、画像形成工程の終了時に、次のジョブの画像データが有るか否かが制御手段１において把握されている。従って、前のジョブの画像形成工程ｂ１が終了する前の段階で、ジョブ終了時の処理、即ち後処理ｃを実行するか、後処理ｃを実行しないで、連続して画像形成工程ｂ２を続けるかを制御手段１が決定することができる。他方、プリンタモードにおいては、画像形成工程ｂの終了時点において、プリントコントローラ４に何時画像データが入力されるのか、また入力された画像データを印字形式の画像データに展開するのにどれだけの時間を要するかを制御手段１は把握することができない。
【手続補正６】
【補正対象書類名】明細書
【補正対象項目名】００３９
【補正方法】変更
【補正の内容】
【００３９】
従って、プリンタモードにおいては、後処理時間をαだけ長く設定する。プリンタモードにおいて、後処理時間として付加される時間αは感光体１０やクリーニングブレード１７１の劣化を避けるためには、短い時間とすることが望ましいが、他方では画像形成効率を下げないためには、長く設定することが望まれる。余分な画像形成効率の低下を無くするには、後処理時間を後処理ｃのために必要な時間とする。即ち感光体１０を１回転させることが理想的である。
【手続補正７】
【補正対象書類名】図面
【補正対象項目名】図４
【補正方法】変更
【補正の内容】
【図４】
2000330427.tif 000001